(57)【特許請求の範囲】
【請求項１】
直流電圧の供給によって駆動する発熱体と送風ファンの少なくとも一方を装着可能に構成した衣服に着脱自在に取り付けられる携帯型バッテリー装置であって、
そのバッテリー装置は、前記発熱体と前記送風ファンの両方の接続端子に接続され、駆動電圧を印加可能な１個の電圧供給端子と、小型の直流電源と、コントローラと、前記コントローラの指示によって前記電圧供給端子に印加される直流電圧を変化させる電圧変化手段と、前記発熱体又は前記送風ファンの接続端子を電圧供給端子に接続し、電圧を印加した時に発熱体と送風ファンに流れる電流を検出する電流検出手段とを備え、
前記コントローラは、前記電圧供給端子に前記発熱体か前記送風ファンのどちらか一方を前記電圧供給端子に接続した場合に所定電圧を印加して接続直後に流れる電流値と所定時間経過後に流れる電流値を比較することに基づいて、接続された負荷を前記発熱体又は前記送風ファンのどちらか一方であると判別し、その判別結果に基づいて前記発熱体用の駆動電圧又は前記送風ファン用の駆動電圧を電圧供給端子に印加することを特徴とする、携帯型バッテリー装置。
【請求項２】
直流電圧の供給によって駆動する複数の電気具を身体に装着するために使用される携帯型バッテリー装置であって、
そのバッテリー装置は、前記複数の電気具の接続端子に接続され、駆動電圧を印加可能な１個の電圧供給端子と、小型の直流電源と、コントローラと、前記コントローラの指示によって前記電圧供給端子に印加される直流電圧を変化させる電圧変化手段と、前記複数の電気具の接続端子を電圧供給端子に接続し、電圧を印加した時にその電気具に流れる電流を検出する電流検出手段とを備え、
前記コントローラは、前記電圧供給端子に複数の電気具の一つを前記電圧供給端子に接続した場合に所定電圧を印加して接続直後に流れる電流値と所定時間経過後に流れる電流値を比較することに基づいて、前記複数の電気具のうちどの電気具であるかを判別し、その判別結果に基づいて接続された電気具用の駆動電圧を電圧供給端子に印加することを特徴とする、携帯型バッテリー装置。
【請求項３】
請求項１から請求項２のいずれか一項に記載の携帯型バッテリー装置において、前記バッテリー装置の回路に抵抗を接続しておき、前記電流検出手段がその抵抗による降下電圧を検出することによって流れる電流の検出を行う、携帯型バッテリー装置。
【請求項４】
請求項１に記載の携帯型バッテリー装置において、前記２つの電流値の比較が、前記２つの電流値の差を算出することに基づいて行われる、携帯型バッテリー装置。
【請求項５】
請求項１に記載の携帯型バッテリー装置において、前記発熱体又は前記送風ファンの判別後に駆動電圧を前記電圧供給端子に印加する場合に、前記送風ファンの場合はスイッチング素子のスイッチング周波数を２０ｋＨｚ〜５０ｋＨｚ範囲で駆動し、前記発熱体の場合はスイッチング素子のスイッチング周波数を１Ｈｚ〜１０ｋＨｚ範囲で駆動する、携帯型バッテリー装置。
【請求項６】
請求項２に記載の携帯型バッテリー装置において、前記複数の電気具のうち、回転子のコイルを流れる逆起電力によって電流が流れにくくなる電気具を少なくとも一つ含んでいる、携帯型バッテリー装置。
【発明の詳細な説明】
【技術分野】
【０００１】
本発明はバッテリー装置に関し、特に身体に装着できる電気具用の携帯型バッテリー装置に関する。
【背景技術】
【０００２】
従来、かなり古くから身体に装着した衣服内の温度を調節する温度調節服の提案が行われている。
例えば、下記特許文献１には、衣服内部に発熱体を組み込むとともに、携帯型電源を衣服に装着して発熱体を加熱することにより保温を行う技術が提案されている。
【０００３】
また、下記特許文献２には、間欠的に停止する複数のファンを持った小型ブロアーを衣服内部に着脱自在に取付けて、衣服に装着した携帯型電源によって前記ファンを駆動することによって温度を下げる冷却服が提案されている。
上記従来技術のような温度調整服に使用する携帯型電源は、使い捨ての乾電池などを用いるよりも充電により繰返し利用できる直流二次電池を用いることがコストを低減できて好ましいと言える。
【０００４】
【特許文献１】実公昭６２−３２０３２「保温用被服」
【特許文献２】実開昭６３−１４３５１６「温度変化可能な冷却服」
【発明の開示】
【発明が解決しようとする課題】
【０００５】
しかしながら、上記従来技術であっても下記のような課題がある。
（Ａ）寒冷作業用と高温作業用の二種類の作業服が必要になる課題
上記構成の作業服であれば、寒冷時に使用する作業服と、暑い時に使用する作業服を二種類購入する必要がある。
また、暖房と冷房を必要とする時間帯とが一日の作業時間内で混在する場合、その都度、作業服を着替えるようなことは面倒であり、寒冷作業用と高温作業用の二種類の作業服を兼用できる衣服が望まれていた。上記形態としては、昼間と夜間の温度差が大きい地域で作業を行う場合、暑い日に冷凍庫内で作業を行う場合、又は寒い日に温室内で作業する場合などが例示できる。
【０００６】
（Ｂ）バッテリー装置が複数必要になり、その管理が面倒になる課題
送風ファンを装着した冷房服に要求される二次電池の動作特性と、温熱ヒーターを装着した暖房服に要求される二次電池の動作特性とは異なるので、兼用の冷暖房服を製造する場合には二種類のバッテリー装置を用意する必要があった。この場合、仮に兼用でない冷房服と暖房服をそれぞれ用意したとしても、それらの使い分けに応じて二種類の携帯型バッテリー装置を取替える必要があり、その管理が面倒になる。
また、兼用型の冷暖房衣服を使用する場合は、２種類のバッテリー装置を共に持つ必要があるので、バッテリー装置の総重量が大きくなって作業の負担になるとともに製造コストが高くなるという課題がある。
【０００７】
本発明は上記課題に鑑みてなされたものであり、本発明の目的は、上記課題を解決できる携帯型バッテリー装置を提供することにある。
具体的な目的の一例を示すと、以下の通りである。
（ａ）寒冷作業用のみならず、高温作業用としても使用できる兼用型の冷暖房衣服に最適なバッテリー装置を提供する。
（ｂ）冷暖房共用であっても使用するバッテリー装置を一つでき、かつその操作を簡単にできるバッテリー装置を提供する。
（ｃ）電気具を複数個、身体に装着する場合に、単一のバッテリー装置で各電気具を最適な条件で駆動できるバッテリー装置を提供する。
なお、上記に記載した以外の発明の課題、その解決手段及びその効果は、後述する明細書内の記載において詳しく説明する。
【課題を解決するための手段】
【０００８】
本発明は多面的に表現できるが、例えば、代表的なものを挙げると、次のように構成したものである。
第１発明の携帯型バッテリー装置は、直流電圧の供給によって駆動する発熱体と送風ファンの少なくとも一方を装着可能に構成した衣服に着脱自在に取り付けられる携帯型バッテリー装置であって、
そのバッテリー装置は、前記発熱体と前記送風ファンの両方の接続端子に接続され、駆動電圧を印加可能な１個の電圧供給端子と、小型の直流電源と、コントローラと、前記コントローラの指示によって前記電圧供給端子に印加される直流電圧を変化させる電圧変化手段と、前記発熱体又は前記送風ファンの接続端子を電圧供給端子に接続し、電圧を印加した時に発熱体と送風ファンに流れる電流を検出する電流検出手段とを備え、
前記コントローラは、前記電圧供給端子に前記発熱体か前記送風ファンのどちらか一方を前記電圧供給端子に接続した場合に所定電圧を印加して接続直後に流れる電流値と所定時間経過後に流れる電流値を比較することに基づいて、接続された負荷を前記発熱体又は前記送風ファンのどちらか一方であると判別し、その判別結果に基づいて前記発熱体用の駆動電圧又は前記送風ファン用の駆動電圧を電圧供給端子に印加することを特徴とする。
第１発明は、冷房専用衣服、暖房専用衣服、又は冷暖房兼用衣服にも適用が可能であるが、冷暖房兼用衣服であれば特にその効果が高い。
第１発明及び第２発明において、発熱体は面状に身体の部分を覆う構成が好ましいが、線状などの構成も採用することができる。また、前記小型の直流電源は充電自在な二次電池が好ましいが、一次電池でも使用可能である。
【０００９】
第２発明の携帯型バッテリー装置は、直流電圧の供給によって駆動する複数の電気具を身体に装着するために使用される携帯型バッテリー装置であって、
そのバッテリー装置は、前記複数の電気具の接続端子に接続され、駆動電圧を印加可能な１個の電圧供給端子と、小型の直流電源と、コントローラと、前記コントローラの指示によって前記電圧供給端子に印加される直流電圧を変化させる電圧変化手段と、前記複数の電気具の接続端子を電圧供給端子に接続し、電圧を印加した時にその電気具に流れる電流を検出する電流検出手段とを備え、
前記コントローラは、前記電圧供給端子に複数の電気具の一つを前記電圧供給端子に接続した場合に所定電圧を印加して接続直後に流れる電流値と所定時間経過後に流れる電流値を比較することに基づいて、前記複数の電気具のうちどの電気具であるかを判別し、その判別結果に基づいて接続された電気具用の駆動電圧を電圧供給端子に印加することを特徴とする。
第２発明において、「電気具」とは電気エネルギーを用いて発熱、送風、温度測定、発光などの所定の作用を行うことができる負荷を言う。
【００１０】
第３発明は、第１発明から第２発明のいずれか一つに記載の発明において、前記バッテリー装置の回路に抵抗を接続しておき、前記電流検出手段がその抵抗による降下電圧を検出することによって流れる電流の検出を行うことを特徴とする。
第４発明は、第１発明において、前記２つの電流値の比較が、前記２つの電流値の差を算出することに基づいて行われることを特徴とする。
第４発明において、前記判別は、２つの電流値の差と予め設定された所定値との大小を比較して行うことが一般的である。
【００１１】
第５発明は、第１発明において、前記発熱体又は前記送風ファンの判別後に駆動電圧を前記電圧供給端子に印加する場合に、前記送風ファンの場合はスイッチング素子のスイッチング周波数を２０ｋＨｚ〜５０ｋＨｚ範囲で駆動し、前記発熱体の場合はスイッチング素子のスイッチング周波数を１Ｈｚ〜１０ｋＨｚ範囲で駆動することを特徴とする。
【００１２】
第６発明は、第２発明において、前記複数の電気具のうち、回転子のコイルを流れる逆起電力によって電流が流れにくくなる電気具を少なくとも一つ含んでいることを特徴とする。
【発明の効果】
【００１３】
以下、各発明の効果などについて説明する。
第１発明であれば、以下の特有の効果を有する。
（イ）冷房服と暖房服に応じて二種類のバッテリー装置を用意する必要がなく、単一の携帯用バッテリー装置だけで済むので操作及び管理を単純化できる。
（ロ）バッテリー装置内に１個の電圧供給端子を設け、発熱体と送風ファンの駆動を行うことができるので、発熱体用の電圧供給端子と送風ファン用の電圧供給端子をそれぞれ設ける構成に比べて、電圧供給端子を設ける面積を小さくできるので、バッテリー装置を小型化できる。また、使用者からすれば、発熱体と送風ファンの接続端子をバッテリー装置に接続するに際して、単一の電圧供給端子に繋げれば良く、考える必要が無く簡単である。さらに使用者が接続端子を逆に接続して発熱体と送風ファンを破損したり、又は駆動電圧が得られず、発熱又は送風の効果を得られないという不都合を無くすることができる。
【００１４】
第２発明であれば、以下の特有の効果を有する。
（ハ）複数の電気具を身体に装着する場合において個別のバッテリー装置を用意する必要がなく、単一の携帯用のバッテリー装置だけで済むので操作及び管理を単純化できる。
（ニ）バッテリー装置内に１個の電圧供給端子を設けるだけで複数の電気具の駆動を行うことができるので、個別の電気具用の電圧供給端子をそれぞれ設ける構成に比べて、電圧供給端子を設ける面積を小さくできるので、バッテリー装置を小型化できる。また、使用者からすれば、複数の電気具をそれぞれバッテリー装置に接続するに際して、単一の電圧供給端子に繋げればよく、考える必要が無く簡単である。さらに使用者が個別の電気具の接続端子を間違えて接続することにより、電気具を破損したり、又は個々の電気具の駆動電圧が得られず、動作が不安定になるという不都合を無くすることができる。
【００１５】
第３発明であれば、抵抗による電圧降下を検出することによって流れる電流の検出を行うので、簡単な構成で正確に電流を検出することができる。
第４発明であれば、前記２つの電流値の比較が差を算出することに基づいて行われるので、簡単な演算によって発熱体と送風ファンの判別を行うことができる。
【００１６】
第５発明であれば、前記スイッチング周波数を前記範囲に設定することによって発熱体と送風ファンを一つのバッテリー装置によって良好な状態で駆動することができる。
第６発明であれば、回転子のコイルを流れる逆起電力によって電流が流れにくくなる電気具を少なくとも一つ含んでいることにより、接続直後に流れる電流値と所定時間経過後に流れる電流値を比較する場合に、その電気具の判別を正確に行いやすいという利点がある。
【発明を実施するための最良の形態】
【００１７】
以下、本発明の実施の形態を図面に基づき説明する。
まず、本発明に係るバッテリー装置を説明する前に、バッテリー装置が装着される冷暖房衣服について説明する。図１〜図３はそれぞれ冷暖房衣服の一例としての冷暖房チョッキ１を示している。
図１（Ａ）は冷暖房チョッキ１の正面図、図１（Ｂ）はその背面図、図２はその内部の様子を示す図である。
【００１８】
このチョッキ１は、衣服に着脱自在に取り付けられ、電圧の供給により遠赤外線を放射する面状発熱体としての遠赤外線放射シート２と、衣服に着脱自在に取り付けられ、送風によって体温を冷す送風ファン３・３と、遠赤外線放射シート２と送風ファン３・３の駆動を一台で共用できるバッテリー装置４とを備えている。なお、図１〜図２に示す構成では、冷暖房チョッキ１から遠赤外線放射シート２を取り外し、送風ファン３・３のみを取り付けた構成が示してある。
【００１９】
また、図１（Ａ）に示すように開閉部材２６としてのファスナーを挟んで、左右対称に防刃パネル２４を入れる防刃パネル収容袋２５を設けてある。そして、ファスナーを開いた状態で左右の防刃パネル収容袋２５に防刃パネル２４の左右両端部を挿入し、ファスナーを閉じることにより、冷暖房チョッキ１の前面に防刃パネル２４を配置させることができるように構成してある。この防刃パネル収容袋２５は必要なときにのみ使用する。
【００２０】
図２に示すように、衣服の背中対応部分に発熱体ポケット部５を設け、その発熱体ポケット部５内に遠赤外線放射シート２を収容するように構成してある。発熱体ポケット部５は、上部が開放され、下部に遠赤外線放射シート２の接続線の取出し口６が設けられている。また、発熱体ポケット部５は、チョッキ１を作業者が着たときに、背骨の第７胸椎と第８胸椎域を含み、かつ背中部背面の面積の１／４〜１／６の範囲に設定してある。
【００２１】
チョッキ１から遠赤外線放射シート２を取り外す場合は、発熱体ポケット部５から遠赤外線放射シート２を出すだけでよい。また、図３に示すように、遠赤外線放射シート２からは接続線７が延びており、その接続線７の端子８を、バッテリー装置４のＤＣ接続端子９に接続できるようになっている。
図２に示すように、送風ファン３・３は、チョッキ１の両脇の下側位置に一対取り付けられている。送風ファン３・３は、外部の空気を衣服の内部に取り入れ、衣服内の体温で暖まった空気を外部へ放出することにより、衣服内を冷房するように構成してある。
【００２２】
送風ファン３・３からは接続線１０が延びており、その接続線１０の端子１１（図３参照）によってバッテリー装置４のＤＣ接続端子９に接続されるように構成されている。一対の送風ファン３・３もチョッキ１から着脱自在に構成されており、チョッキ１の洗濯が行えるように構成してある。
また、チョッキ１の内側下部に電池ポケット部１２を設け、その電池ポケット部１２にバッテリー装置４を収容できるようになっている。
【００２３】
チョッキ１の内側には、メッシュなどで構成された通気性の良い内装材１３が設けられ、その内装材１３が送風ファン３・３の風出口面を覆うことで、送風ファン３・３の送風が妨げられないように構成してある。また、内装材１３を設けることで、内装材１３とチョッキ本体との間に送風路が形成されやすくなる利点がある。
【００２４】
また、腕が出る肩口１４・１４には、締め具１５の一例としてのギャザー１６・１６が設けられ、そのギャザー１６・１６によって送風ファン３・３からの送風が肩口１４・１４から漏れることを抑制している。また、図１（Ａ）に示すように、チョッキ１の下端位置には、締め具１５の一例としての締め紐１７が設けられ、チョッキ１の下端を締めることにより、送風ファン３・３からの送風が腰回りから漏れることを抑制している。
なお、この実施形態に係るチョッキ１では、首回りから送風ファン３・３の送風が吹き出すことになる。首回りから送風が吹き出させることにより、顔及び首回りも冷却することができ、冷却効果を高めることができる。
【００２５】
図３は、送風ファン３・３と遠赤外線放射シート２を取出し、それらの接続線７・１０とバッテリー装置４を並べて記載した図である。このように送風ファン３・３と遠赤外線放射シート２を衣服から取り外し可能に構成することにより、衣服の洗濯が行えるとともに、送風ファン３・３と遠赤外線放射シート２の故障時においても取替えが簡単にできるという利点がある。
【００２６】
図４はバッテリー装置４を取り付ける形態を多様化するための工夫を説明するための図である。なお、図４では衣服はチョッキではなくジャンバーを採用し、冷暖房ジャンバー１８を構成した例が示してある。
ジャンバーにバッテリー装置４を収容する電池ポケット部（図４において図示せず）を設けるとともに、ベルト１９にベルト装着具２０を設け、そのベルト装着具２０内にバッテリー装置４を収容するようにしてある。そして、図３に示す遠赤外線放射シート２および送風ファン３・３からの各接続線７・１０をベルト装着具２０に収容されたバッテリー装置４にまで達する長さに設定している。
【００２７】
ベルト１９にバッテリー装置４を止めるように構成することによって、衣服にバッテリー装置４を装着するよりも重さを感じにくくなるとともに、動作が激しい場合にもバッテリー装置４の揺れを小さくできる利点がある。
なお、本明細書において「衣服」とは、着物、ジャンバー、チョッキ、コートなどの服のみならず、身体に装着する各種のもの、例えば、マフラー、パット、ベルトなどを含む広い意味で用いている。
【００２８】
図５は上記冷暖房衣服に着脱自在に取り付けられる携帯型バッテリー装置の一例を示す概略機能ブロック図である。
図５に示すように、このバッテリー装置４は、駆動電圧を印加可能な１個の電圧供給端子２８と、充電自在な小型の二次電池２９と、コントローラ３０と、前記コントローラ３０の指示によって電圧供給端子２８に印加される直流電圧を変化させる電圧変化手段としての電圧変化回路部３１と、前記電流検出手段としての電流検出部３２を含んで構成してある。
電圧供給端子２８は、前記した上記遠赤外線放射シートのような各種の面状発熱体２（図３参照）と送風ファン３（図３参照）の両方の接続端子８，１１（図３参照）に接続される。
電流検出部３２は、面状発熱体２又は送風ファン３の接続端子８，１１を電圧供給端子２８に接続し、電圧を印加した時に面状発熱体２と送風ファン３に流れる電流を検出するためのものであり、面状発熱体２と送風ファン３に流れる電流を抵抗に流してその電圧降下を検出する回路で構成してある。
【００２９】
前記コントローラ３０は、負荷判別部３３と指令部３４と電圧変化信号生成部３５を少なくとも含んでいる。電圧変化信号生成部３５はＰＷＭ信号を生成する方式が採用されることが多い。
負荷判別部３３は、電流検出部３２によって検出された電流に基づいて、面状発熱体と送風ファンとを判別する。
電圧変化回路部３１は、降下型ＤＣ／ＤＣコンバータ、昇圧型ＤＣ／ＤＣコンバータ、昇降下型ＤＣ／ＤＣコンバータのいずれかが採用されることが多い。
また、図５において、家庭用交流電源から二次電池２９に充電するための充電用端子は省略して記載してあり、Ａ／Ｄ変換器などの基本的要素も省略して記載している。
【００３０】
上記バッテリー装置の動作を簡単に説明する。
まず、電圧供給端子２８に面状発熱体か送風ファンのどちらか一方を接続した場合に、指令部３４は、電圧変化信号生成部３５に命令して、電圧変化回路部３１に所定電圧を生成するように指令する。そして、接続直後（ｔ＝ｔ１）に流れる電流値Ｉ１と所定時間経過後（ｔ＝ｔ２）に流れる電流値Ｉ２を電流検出部３２において検出して、コントローラ３０の入力ポートに入力して記憶部（図示せず）内に２つの電流値を記憶する。そして、２つの電流値の演算（差、比など）に基づいて負荷判別部３３が面状発熱体であるか送風ファンであるかを判別して、その判別結果に基づいて電圧変化信号生成部３５によって電圧を変化させて面状発熱体，送風ファンのそれぞれに最適な直流電圧を印加する。
【００３１】
図６はバッテリー装置の具体的な回路構成の一例を示す図、図７（Ａ）は送風ファンを接続後に流れる電流の時間変化を示す図、図７（Ｂ）は面状発熱体を接続後に流れる電流の時間変化を示す図である。
図６に示す回路は、電圧変化回路部３１として降圧型ＤＣ／ＤＣコンバータ５０を採用している。降圧型ＤＣ／ＤＣコンバータ５０は、コンデンサ３７、コイル３８（インダクタ）、ダイオード３９、ＦＥＴ−ＭＯＳなどのスイッチング素子４０、抵抗４１、抵抗４２を主要素として構成してある。ＤＣ／ＤＣコンバータ５０は二次電池２９の直流電圧を必要な直流電圧に効率よく変換するための回路であり、その動作は直流を一度交流にしてそのエネルギーをコンデンサ３７とコイル３８に一時的にためこみ、スイッチング素子４０によって一定時間間隔で電圧供給端子２８に取り出すものである。
【００３２】
電流検出部３２は、Ｐ点に対して抵抗４４と抵抗４５を直列接続して、所定の降下電圧をコントローラ３０としてのマイクロコントローラ４６に入力することによって構成してある。
マイクロコントローラ４６には、ＣＰＵ４８とメモリ４９とＡ／Ｄ変換器を備えた入力ポート５１、出力ポート５２などが設けられ、前記電圧変化信号生成部３５としてのＰＷＭ信号回路４７を備えている。なお、図５に示した前記負荷判別部３３と指令部３４は図６に示すＣＰＵ４８とメモリ４９によるソフトウエアで構成してある。
【００３３】
（送風ファンの直流モータの判別方法）
送風ファンの直流モータを接続した場合は、初期の停止時において流れる電流と、起動後に流れる電流は大きさが異なる。つまり、起動初期には大きな電流が流れるが、時間が過ぎると一定の速度が出るまで電流は小さくなり続ける（図８（Ａ）参照）。その理由は、停止時には直流モータの回転子のコイルに流れる電流はコイルの純抵抗成分になるので流れる電流はとても大きくなるのに対して、直流モータが起動すると回転子のコイルに流れる電流は回転するときにコイルで発生する逆起電力によってインピーダンスが大きくなり、流れる電流は小さくなるからである。
【００３４】
図６において、送風ファンの直流モータがＤＣ接続端子９に接続されるとコイル３８，スイッチング素子４０、抵抗４１を通じて電流が流れる。ここで直流モータが停止状態ではモータコイルの純抵抗成分により電流が流れる。一方、直流モータの起動後にはＰ点でＶ＝Ｉ・Ｒによる電圧降下が生じて、この降下電圧をマイクロコントローラ４６のＡ／Ｄ変換器に入力する。そして、起動直後に検出された電流値（図８（Ａ）におけるｔ１の時の電流値Ｉ１）と、所定時間経過後の電流値（図８（Ａ）のおけるｔ２の時の電流値Ｉ２）の差を比較して、電流の差が所定閾値よりも大きい場合には接続された負荷が直流モータ（送風ファン）であると判別する。
【００３５】
直流モータであると判別されると、ＣＰＵ４８の指令によってＰＷＭ信号回路４７は２０ｋＨｚ〜５０ｋＨｚの速いＰＷＭ出力を送り出し、ＰＷＭ出力はスイッチング素子４０をＯＮ、ＯＦＦさせて、前記降下型ＤＣ／ＤＣコンバータ５０の回路を通じて直流モータを駆動させるための直流電圧を生成する。
なお、駆動電圧生成後も直流電圧は抵抗４４を通じて再びマイクロコントローラ４６に入力され、マイクロコントローラ４６は直流モータを駆動させるための正常な出力電圧であるかを判別し、電圧が高いとＰＷＭ出力の幅を狭くして直流電圧を低くし、電圧が低いとＰＷＭ出力の幅を広くして直流電圧を高くする。なお、二次電池２９の電圧が変化してもマイクロコントローラ４６で常時、一定の直流電圧が直流モータに印加されるようにＰＷＭ出力を制御するので、常時一定速度で直流モータを制御できる。
【００３６】
（面状発熱体の判別方法）
面状発熱体は純抵抗成分であるから、初期に流れる電流値と所定時間が経過した後の電流値は同じなる。
面状発熱体がＤＣ接続端子９に接続されるとコイル３８，スイッチング素子４０、抵抗４１を通じて電流が流れる。面状発熱体の抵抗成分により流れる電流によって電圧降下が生じて、この降下電圧をマイクロコントローラ４６の入力ポート５１（Ａ／Ｄ変換器）に入力する。
【００３７】
そして、起動直後に検出された電流値（図８（Ｂ）のｔ１の時の電流値Ｉ１）と、所定時間経過後の電流値（図８（Ｂ）のｔ２の時の電流値Ｉ２）の差を比較して、電流の差がほとんどない場合は、接続された負荷が面状発熱体であると判別する。
面状発熱体であると判別されると、マイクロコントローラは１ｋＨｚ〜１０ｋＨｚの遅いＰＷＭ出力を送り出し、ＰＷＭ出力はスイッチング素子４０をＯＮ、ＯＦＦさせて、降下型ＤＣ／ＤＣコンバータ５０の回路を通じて面状発熱体の温度を制御する。
なお、図８はコントローラの負荷判別処理の一例を示すフローチャートである。ステップＳ６のａは閾値を示す。
【００３８】
本発明は上記実施形態のみならず、本発明の要旨を変更しない限り、各種の変更を行うことが可能である。
（１）例えば、時間経過に伴って測定する電流値は前記実施形態では２点であったが、３点以上であってもよい。特に複数の直流モータの違いを判別する場合には３点以上の電流値を検出することによって、正確に個々の直流モータを検出することができる。
（２）前記した第２発明は、発熱体又は送風ファン以外にも適用が可能である。例えば、身体に装着する電気具の例としては、車に歩行者がいることを知らせる点滅灯や、児童，幼児などが危険なときに鳴らせる防犯ブザーや、児童，幼児などの現在位置を特定するためのＧＰＳ発信装置の電源などに適用できる。これらの場合も上記各電気具との共用や、発熱体・送風ファンと共用形態で使用することも可能である。要するに、バッテリー装置の重量を増やすことなく、複数の機能の電気具を一つのバッテリー装置で兼用できるので、使い方によってその利点は想像以上に大きいのである。
【図面の簡単な説明】
【００３９】
【図１】図１（Ａ）は本発明の第１実施形態に係る冷暖房チョッキの正面図、図１（Ｂ）はその冷暖房チョッキの背面図である。
【図２】図２は、本発明の第１実施形態に係る冷暖房チョッキ内部の様子を示す図である。
【図３】図３は、送風ファン、遠赤外線放射シート、及びバッテリー装置の説明図である。
【図４】図４は、衣服としてジャンバーを採用し、バッテリー装置をベルトに取り付ける形態を示す図である。
【図５】図５は上記冷暖房衣服に着脱自在に取り付けられる携帯型バッテリー装置の一例を示す概略機能ブロック図である。
【図６】図６は、バッテリー装置の具体的な回路構成の一例を示す図である。
【図７】図７（Ａ）は送風ファンを接続後に流れる電流の時間変化を示す図、図７（Ｂ）は面状発熱体を接続後に流れる電流の時間変化を示す図である。
【図８】図８は、コントローラの負荷判別処理の一例を示すフローチャートである。
【符号の説明】
【００４０】
１…冷暖房チョッキ（冷暖房衣服）、２…遠赤外線放射シート（発熱体）、３…送風ファン、４…携帯型バッテリー装置、８…遠赤外線放射シートの端子、９…バッテリー装置のＤＣ接続端子（２８…電圧供給端子）、１１…送風ファンの端子、２９…二次電池（直流電源）、３１…電圧変化回路部（電圧変化手段）、３２…電流検出部（電流検出手段）、４６…マイクロコントローラ（３０…コントローラ）、５０…ＤＣ／ＤＣコンバータ。
【図１】
0004559349.tif 000002
【図２】
0004559349.tif 000003
【図３】
0004559349.tif 000004
【図４】
0004559349.tif 000005
【図５】
0004559349.tif 000006
【図６】
0004559349.tif 000007
【図７】
0004559349.tif 000008
【図８】
0004559349.tif 000009